(57)【特許請求の範囲】
【請求項１】
支柱に支えられたフレーム上に物体を載せるラックキャビネットにおいて、
断面がＬ字形状の所定長のＬ字金具と、
該Ｌ字金具の上に重なる該フレームを該Ｌ字金具上で回転させる回転機構と、
該Ｌ字金具に固定され該Ｌ字金具を該支柱に対して所定方向へ移動させるように案内するガイド穴を有すると共に該Ｌ字金具を該支柱の所定の位置で係止する係止部材とを有し、
該フレームに物体を載せない場合、
該回転機構を所定の角度回転させて、該フレームを該Ｌ字金具に一体的に納まるように収納し、さらに、該フレームが収納された該Ｌ字金具を、該係止部材で係止する位置まで該支柱の方向へ移動して、該ラックキャビネットの側面部に備えられた該支柱から形成される空間の所定の位置に収納し、
該フレームに物体を載せる場合、
該Ｌ字金具を該係止部材で係止される位置まで該ラックキャビネットの該支柱の所定方向へ移動して、さらに、該回転機構を所定の角度回転させて該フレームを該Ｌ字金具から移動させるように構成したことを特徴とするラックキャビネット。
【請求項２】
該フレームと該Ｌ字金具の連接から成る複数組の支持機構から成り、
該フレームの一端は、相手の該Ｌ字金具に載置することを特徴とする請求項１のラックキャビネット。
【発明の詳細な説明】
【技術分野】
【０００１】
本発明は、ラックキャビネットに係り、特に、搭載機構を有するラックキャビネットに関する。
【背景技術】
【０００２】
ラックキャビネットに物体を載せる棚板等の搭載機構を搭載する場合、搭載する箇所にＬ字金具を設置する。その場合、Ｌ字金具をラックキャビネット本体に毎回搭載する必要があり、搭載箇所が変更になる都度、Ｌ字金具を一旦外し、再度、搭載箇所にＬ字金具を設置する。
【０００３】
特許文献１には、ラックキャビネットの取付金具をラックキャビネットの支柱に対して上下することによりシャーシをラックキャビネットに取り付ける技術が記載されている。
【０００４】
【特許文献１】特開２００５−２４３６７２号公報
【発明の開示】
【発明が解決しようとする課題】
【０００５】
しかしながら、従来技術では、ラックキャビネットに搭載機構を搭載する都度、Ｌ字金具を取り付ける作業が必要となる問題があった。
【０００６】
本発明の目的は、収納可能な搭載機構を有するラックキャビネットを提供することにある。
【課題を解決するための手段】
【０００７】
上記目的を達成するために、本発明のラックキャビネットは、支柱に支えられたフレーム上に物体を載せるラックキャビネットにおいて、断面がＬ字形状の所定長のＬ字金具と、該Ｌ字金具の上に重なる該フレームを該Ｌ字金具上で回転させる回転機構と、該Ｌ字金具に固定され該Ｌ字金具を該支柱に対して所定方向へ移動させるように案内するガイド穴を有すると共に該Ｌ字金具を該支柱の所定の位置で係止する係止部材とを有し、該フレームに物体を載せない場合、該回転機構を所定の角度回転させて、該フレームを該Ｌ字金具に一体的に納まるように収納し、さらに、該フレームが収納された該Ｌ字金具を、該係止部材で係止する位置まで該支柱の方向へ移動して、該ラックキャビネットの側面部に備えられた該支柱から形成される空間の所定の位置に収納し、該フレームに物体を載せる場合、該Ｌ字金具を該係止部材で係止される位置まで該ラックキャビネットの該支柱の所定方向へ移動して、さらに、該回転機構を所定の角度回転させて該フレームを該Ｌ字金具から移動させるように構成することができる。
【０００８】
また、該フレームと該Ｌ字金具の連接から成る複数組の支持機構から成り、該フレームの一端は、相手の該Ｌ字金具に載置するように構成することができる。
【発明の効果】
【０００９】
本発明によれば、収納可能な搭載機構を有するラックキャビネットを提供することができる。
【発明を実施するための最良の形態】
【００１０】
次に、本発明を実施するための最良の形態を、以下の実施例に基づき図面を参照しつつ説明する。
【００１１】
図１は、本実施例によるラックキャビネット５００の全体構成を示す図である。
ラックキャビネット５００は、支柱１０及び搭載機構１００から構成され、搭載機構１００は、支持機構（左側）及び支持機構（右側）から構成されている。支持機構（左側）は、Ｌ字金具（左側）２０、フレーム（左側）３０、フレーム固定ネジ３５、レール（左側）４５及びレール固定ネジ（左側）４０から構成されている。
【００１２】
Ｌ字金具（左側）２０は、フレーム固定ネジ３５によってフレーム（左側）３０に取り付けられており、Ｌ字金具（左側）２０の上に重なるフレーム（左側）３０をＬ字金具（左側）２０の上で回転させる回転機構となっている。
【００１３】
また、Ｌ字金具（左側）２０は、レール（左側）４５にも接続され、レール（左側）４５は、レール固定ネジ（左側）４０によって支柱１０に取り付けられている。レール（左側）４５は、Ｌ字金具（左側）２０に固定され、Ｌ字金具（左側）２０を支柱１０に対して９０度移動させるように案内するガイド穴を設けており、Ｌ字金具（左側）２０を支柱１０の所定の位置で係止する係止部材となっている。
【００１４】
一方、支持機構（右側）は、Ｌ字金具（右側）８０、フレーム（右側）６０、フレーム固定ネジ７０、レール（右側）４７及びレール固定ネジ（右側）４２から構成されている。
【００１５】
Ｌ字金具（右側）８０は、フレーム固定ネジ７０によってフレーム（右側）６０に取り付けられており、Ｌ字金具（右側）８０の上に重なるフレーム（右側）６０をＬ字金具（右側）８０の上で回転させる回転機構となっている。
【００１６】
また、Ｌ字金具（右側）８０は、レール（右側）４７にも接続され、レール（右側）４７は、レール固定ネジ（右側）４２によって支柱１０に取り付けられている。レール（右）４７は、Ｌ字金具（右側）８０に固定され、Ｌ字金具（右側）８０を支柱１０に対して９０度移動させるように案内するガイド穴を設けており、Ｌ字金具（右側）８０を支柱１０の所定の位置で係止する係止部材となっている。
【００１７】
また、支持機構（左側）と支持機構（左側）とは対峙して配置され、支持機構（左側）のフレーム（左側）３０の一端は、支持機構（右側）のＬ字金具（右側）８０に載置され、一方、支持機構（右側）のフレーム（右側）６０の一端は、支持機構（左側）のＬ字金具（左側）２０に載置される。
【００１８】
次に、フレーム（左側）３０及びフレーム（右側）６０の動作について説明する。
【００１９】
図２は、フレーム（左側）３０をＬ字金具（左側）２０から移動した図である。フレーム（左側）３０は、回転機構により、フレーム固定ネジ３５を支点として回転が可能である。
【００２０】
図３は、Ｌ字金具（左側）２０にフレーム（左側）３０が収納された図である。
フレーム（左側）３０は、回転機構により９０度回転することによりＬ字金具（左側）２０に一体的に納まる様に収納される。
【００２１】
尚、支持機構（右側）のフレーム（左側）３０の動作は、支持機構（左側）と同様である。
【００２２】
次に、Ｌ字金具（左側）２０及びＬ字金具（右側）８０の格納及び引き出しについて説明する。
【００２３】
図４は、支柱１０からＬ字金具（左側）２０が移動した図である。Ｌ字金具（左側）２０は、係止部によりレール４５のレール固定ネジ（左側）４０に沿って９０度可動できる構成である。
【００２４】
図５は、支柱１０からＬ字金具（左側）２０が移動した図である。Ｌ字金具（左側）２０は、９０度回転することにより支柱１０に収納される。一方、引き出し動作は、この状態からＬ字金具（左側）２０を逆方向に９０度回転させればよい。
【００２５】
尚、支持機構（右側）のＬ字金具（右側）８０の格納及び引き出しについては、支持機構（右側）と同様である。
【００２６】
次に、搭載機構１００の設置手順について説明する。ここで、設置とは、搭載機構上に物体を載せることができる図１の状態である。設置前は、図５のようにＬ字金具及びフレームは支柱１０に格納された状態にある。
【００２７】
まず、この状態（図５）から、Ｌ字金具（左側）２０をレール固定ネジ（左側）４０を軸に矢印Ｂの方向へ９０度回転させて、図４のようにＬ字金具（左側）２０を支柱１０から引き出す。次に、図３のようにＬ字金具（左側）２０に格納されているフレーム（左側）３０をフレーム固定ネジ（左側）３５を軸に矢印Ｃの方向へ９０度回転させて、図２のようにフレーム（左側）３０をＬ字金具（左側）２０から引き出す。ここまでは、支持機構（左側）の設置手順を示したが、支持機構（右側）も同様の手順で設置する。ここで、支持機構（左側）のフレーム（左側）３０の一端は、支持機構（右側）のＬ字金具（右側）８０に載置され、一方、支持機構（右側）のフレーム（右側）３０の一端は、支持機構（左側）のＬ字金具（左側）８０に載置されるように設置する。以上の手順により、図１に示すような搭載機構１００が設置される。
【００２８】
尚、搭載機構１００の収納手順は、前述した設置手順を逆に辿ればよい。
【００２９】
ここで、左右互いのフレームをＬ字金具上に対峙して載置する構成は、相互の荷重を軽減し、Ｌ字金具の強度を上げることができる。
【００３０】
以上の構成により、搭載機構１００の設置及び収納は、Ｌ字金具及びフレームの移動により実現できる。よって、従来技術で必要とされたＬ字金具の取り付け作業は、本実施例においては不要となる。
【００３１】
また、搭載機構１００は支柱１０内に収納可能であるので、従来技術のように常時搭載機構を設置する構成に比べて、ラックキャビネット内のスペースの自由度を増すことができる。
【００３２】
尚、Ｌ字金具（左側）２０及びＬ字金具（右側）８０は、ラックキャビネットの高さ方向に対して設置する位置を可変とし、搭載機構の重量に応じてその位置を変える構成としてもよい。
【００３３】
尚、本発明は、具体的に開示された実施例に限定されるものではなく、特許請求の範囲から逸脱することなく、種々の変形や変更が可能である。
【図面の簡単な説明】
【００３４】
【図１】本実施例によるラックキャビネット５００の全体構成を示す図。
【図２】Ｌ字金具（左側）２０からフレーム（左側）３０が移動した状態を示す図。
【図３】Ｌ字金具（左側）２０にフレーム（左側）３０が収納された状態を示す図。
【図４】支柱１０からＬ字金具（左側）２０が移動した状態を示す図。
【図５】支柱１０にＬ字金具（左側）２０が収納された状態を示す図。
【符号の説明】
【００３５】
１０：支柱、  ２０：Ｌ字金具（左側）、  ３０：フレーム（左側）、  ３５：フレーム固定ネジ、  ４０：レール固定ネジ（左側）、  ４２：レール固定ネジ（右側）、  ４５：レール（左側）、  ４７：レール（右側）、  ６０：フレーム（右側）、  ７０：フレーム固定ネジ（右側）、  ８０：Ｌ字金具（右側）、  １００：搭載機構、  ５００：ラックキャビネット。
【図１】
0004951439.tif 000002
【図２】
0004951439.tif 000003
【図３】
0004951439.tif 000004
【図４】
0004951439.tif 000005
【図５】
0004951439.tif 000006